(57)【要約】【課題】ハンドル操作スペースを十分に確保しながら、フラットデザイン性ならびに可動式ハンドル装置の操作性を向上した冷蔵庫を提供することを目的とする。【解決手段】冷凍室扉７の可動式ハンドル装置７ｂは、取手受け部１３と、シャフト１６と、シャフト１６を軸として回動するハンドル１４と、ハンドル１４の回動により前後に可動するレバー１５とよりなり、前記取手受け部１３は曲面状凹み部２４を形成して、前記曲面状凹み部２４の前方に位置するハンドル１４の外表面は、前記外板１９と略同一平面状に配置しているので、従来の外板を一体に絞る場合に比べ、操作スペースを十分に確保することができ、操作性が向上するとともに、可動式ハンドル装置７ｂが外板１９の構成面より前方に飛び出さないので、冷凍室扉７全体のフラット感が高まりデザイン性を向上することができる。【選択図】図３
2005090813.tif 000002
【特許請求の範囲】
【請求項１】
内板と、外板と、前記外板の両側面に配置したキャップと、前記外板の上面中央部の切欠き部に配置した可動式ハンドル装置と、前記内板と外板とキャップと可動式ハンドル装置とで構成される空間に充填発泡される発泡断熱材とを有する扉体において、前記可動式ハンドル装置は、取手受け部と、シャフトと、シャフトを軸として回動するハンドルと、ハンドルの回動により前後に可動するレバーとよりなり、前記取手受け部は曲面状凹み部を形成して、前記曲面状凹み部の前方に位置するハンドルは、前記外板と略同一平面状に配置した扉体を備えた冷蔵庫。
【請求項２】
取手受け部の曲面状凹み部は、ハンドル下端の後方に対向する位置から下方で曲面形状としたことを特徴とする請求項１に記載の冷蔵庫。
【請求項３】
取手受け部の下部背面に溝とフランジ部を設け、前記溝とフランジ部で取手受け部を挟持部材を介して外板に固定したことを特徴とする請求項１または２に記載の冷蔵庫。
【請求項４】
取手受け部の背面から外板にかけ、伝熱部材を貼り付けたことを特徴とする請求項1から請求項３のいずれか一項に記載の冷蔵庫。
【請求項５】
取手受け部の背面を中空構造としたことを特徴とする請求項1から請求項４のいずれか一項に記載の冷蔵庫。
【発明の詳細な説明】
【技術分野】
【０００１】
本発明は、可動式ハンドル装置を備えた冷蔵庫の扉に関するものである。
【背景技術】
【０００２】
従来、この種の冷蔵庫の扉は、折り曲げられた外板と樹脂製の取手受け部と樹脂製のキャップにより構成された空間に発泡断熱材を充填して成る扉が主流である。（例えば、特許文献１参照）
図５は、特許文献1に記載された従来の冷蔵庫の要部断面図を示すものである。図５に示すように、冷蔵庫本体に取り付けられた引出し式の扉１で、端部を折り曲げた鋼板製の外板２と、前記外板２の側面に被さる樹脂製のキャップ３と、前記外板２の中央を曲面状に絞り切り欠き部に被さる樹脂製の取手受け部４から構成されている。扉１は前記外板２と前記側面キャップ３と前記取手受け部４より閉ざされた空間に発泡断熱材を充填して、扉の断熱性を確保している。また前記取手受け部４は、扉を引き出す為の可動式ハンドル装置５と、カバーハンドル６から構成されている。
【特許文献１】特開２００１−５０６４５号公報
【発明の開示】
【発明が解決しようとする課題】
【０００３】
しかしながら、上記従来の冷蔵庫の構成では、可動式ハンドル装置の操作スペースは外板の曲面状の絞りにより確保する構造となっている。この操作スペースを確保するためには、外板の絞れる限界もあり十分な操作スペースを確保するため、可動式ハンドル装置とカバーハンドルを前面に飛び出させることでスペースを確保している。そのため冷蔵庫全体の外観意匠を考えた時、凹凸ができ、扉のフラット感を損なうという欠点と梱包サイズ
が増えるという課題を有していた。
【０００４】
本発明は、上記従来の課題を解決するもので、ハンドル操作スペースを十分に確保しながら、フラットデザイン性ならびに可動式ハンドル装置の操作性を向上した冷蔵庫を提供することを目的とする。また、梱包時の省スペース化を図ることを目的とする。
【課題を解決するための手段】
【０００５】
上記従来の課題を解決するために、本発明の冷蔵庫は、可動式ハンドル装置の取手受け部は曲面状凹み部を形成して、前記曲面状凹み部の前方に位置するハンドルは、前記外板と略同一平面状に配置したものである。
【０００６】
これによって、可動式ハンドル装置のハンドルの出っ張りを生じず、操作スペース部を十分に確保することが出来る。
【発明の効果】
【０００７】
本発明の冷蔵庫は、可動ハンドル装置の操作スペースを十分に確保しながら、扉のフラット感を損なわないデザイン性の向上と、操作性を向上することができる。
【発明を実施するための最良の形態】
【０００８】
請求項１に記載の発明は、内板と、外板と、前記外板の両側面に配置したキャップと、前記外板の上面中央部の切欠き部に配置した可動式ハンドル装置と、前記内板と外板とキャップと可動式ハンドル装置とで構成される空間に充填発泡される発泡断熱材とを有する扉体において、前記可動式ハンドル装置は、取手受け部と、シャフトと、シャフトを軸として回動するハンドルと、ハンドルの回動により前後に可動するレバーとよりなり、前記取手受け部は曲面状凹み部を形成して、前記曲面状凹み部の前方に位置するハンドルは、前記外板と略同一平面状に配置した扉体を備えたものであり、可動式ハンドル装置の操作スペースを十分に確保することができ操作性が向上するとともに、可動式ハンドル装置が外板の構成面より前方に飛び出ず、扉のフラット感が高まりデザイン性を向上することができる。また、冷蔵庫本体の梱包時の省スペース化を図ることができる。また、取手受け部を外板と別体構造とすることで、取手受け部の色彩、デザインの設計自由度が高まる。
【０００９】
請求項２に記載の発明は、請求項１に記載の発明において、取手受け部の曲面状凹み部は、ハンドル下端の後方に対向する位置から下方で曲面形状としたものであり、ハンドル背面のスペースを十分確保できることと、取手受け部の曲面形状が扉開時の使用者の手の動作に沿ったものとなることで、操作性がさらに向上する。
【００１０】
請求項３に記載の発明は、請求項１または２に記載の発明において、取手受け部の下部背面に溝とフランジ部を設け、前記溝とフランジ部で取手受け部を挟持部材を介して外板に固定したものであり、取手受け部が外板に強固に保持され強度が高まるとともに、発泡断熱材充填時の洩れを防ぐことができ、外観品位が高まる。
【００１１】
請求項４に記載の発明は、請求項1から請求項３のいずれか一項に記載の発明において、取手受け部の背面から外板にかけ、伝熱部材を貼り付けたものであり、取手受け部の曲面形状形成のために生じる発泡断熱材の部分的な断熱性低下による扉表面結露の防止を図ることができる。
【００１２】
請求項５に記載の発明は、請求項1から請求項４のいずれか一項に記載の発明において、取手受け部の背面を中空構造としたものであり、中空構造の空気断熱により、取手受け部の曲面形状形成のために生じる発泡断熱材の部分的な断熱性低下による扉表面結露の防止を、別部材を用いることなく可能となる。
【００１３】
以下、本発明の実施の形態について、図面を参照しながら説明する。なお、この実施の形態によってこの発明が限定されるものではない。
【００１４】
（実施の形態１）
図１は、本発明の実施の形態1の冷蔵庫の正面図を示し、図２は、同実施の形態による冷蔵庫の冷凍室扉の分解図を示すものである。図３は、同実施の形態による冷蔵庫の要部断面図を示すものである。
【００１５】
図1から図３において、冷凍室扉７は、冷蔵庫本体１２の最下部に形成した冷凍室７ａの前面開口部を覆う引き出し式扉、野菜室扉８は、冷蔵庫本体１２の中央部に形成した野菜室８ａの前面開口部を覆う引き出し式扉、製氷室扉９は、冷蔵庫本体１２の野菜室８ａと冷凍室７aとの間に配置した製氷室９ａの前面開口部を覆う引き出し式扉、切替室扉１０は、冷蔵庫本体１２の野菜室８ａと冷凍室７aとの間に配置した製氷室９ａの横に設けた切替室１０ａの前面開口部を覆う引き出し式扉、冷蔵室扉１１は、冷蔵庫本体１２の最上部に形成した冷蔵室１１ａの前面開口部を覆うヒンジ式の回転扉である。
【００１６】
そして、冷凍室扉７と野菜室扉８の上面中央部には可動式ハンドル装置７ｂ，８ｂを備えている。なお、可動式ハンドル装置７ｂ，８ｂは同仕様の構成であり、以下、冷凍室扉７で詳細を説明する。
【００１７】
図２において、冷凍室扉７は、内板７ｃと、上下端部を折り曲げた外板１９と、前記外板１９の両側面に配置したキャップ２０と冷凍室扉７の外板１９の上面中央部に設けた切欠き部１９ａに組み込まれる可動式ハンドル装置７ｂとで構成される空間に発泡断熱材が充填発泡され構成している。ガスケット２３は、冷凍室扉７の庫内側周縁に設けたシール部材である。
【００１８】
可動式ハンドル装置７ｂのベースとなる取手受け部１３は、樹脂成形で曲面状凹み部２４を形成している。また、可動式ハンドル装置７ｂは、ベースとなる取手受け部１３と、取手受け部１３の上部左右で支持されるシャフト１６と、シャフト１６を回転軸として回動するハンドル１４と、ハンドル１４の回動により連動して前後に可動するレバー１５とよりなり、レバー１５の一端はハンドル１４と連接し、他方は冷蔵庫本体１２を上下に仕切る開口フランジ２２に当接する。スプリング１７はシャフト１６の中央部に位置し、ハンドル１４の回動方向とは逆の回転方向に力が働きハンドル１４を元の位置に戻すものである。カバーハンドル１８は、可動式ハンドル装置７ｂの上部でハンドル１４、レバー１５、シャフト１６、スプリング１７を覆い隠し、冷凍室扉７の上端部を略同一線上になるように設けている。そして、曲面状凹み部２４の前方に位置するハンドル１４の外表面は、外板１９と略同一平面状になるように配置している。
【００１９】
また、取手受け部１３の曲面状凹み部２４は、ハンドル１４下端の後方に対向する位置から下方で曲面形状とし、上部は指が楽に入る程度の深みを形成している。
【００２０】
また、取手受け部１３の下部背面（発泡断熱材側）に溝２１とフランジ部２６を設けており、前記溝２１とフランジ部２６で取手受け部１３の下部を、断面Ｕ字状の挟持部材２５を介して外板１９に固定し、その後、発泡断熱材を充填発泡する。また、溝２１の幅は外板１９の板厚と断面Ｕ字状の挟持部材２５の前方を形成する肉厚の合計厚みより同等もしくは若干狭い寸法とし、取手受け部１３と外板１９を強固に挟み込んで固定している。また、溝２１の深さよりフランジ部２６の高さを大きくしている。
【００２１】
また、取手受け部１３と外板１９を強固に挟み込んで固定したあと、背面側（発泡断熱材側）から伝熱部材であるアルミテープ２８を少なくとも外板１９に接するところまで貼り付けている。そしてその後、発泡断熱材を充填発泡し冷凍室扉７を構成する。
【００２２】
なお、図４に示すように、取手受け部１３の背面に中空構造２９を有するように成形してもよい。
【００２３】
上記構成により、冷凍室扉７の可動式ハンドル装置７ｂは、取手受け部１３と、シャフト１６と、シャフト１６を軸として回動するハンドル１４と、ハンドル１４の回動により前後に可動するレバー１５とよりなり、前記取手受け部１３は曲面状凹み部２４を形成して、前記曲面状凹み部２４の前方に位置するハンドル１４の外表面は、前記外板１９と略同一平面状に配置しているので、冷凍室扉７を開ける場合、ハンドル１４を手前に引っ張ることでシャフト１６を回転軸としてハンドル１４が回動し、レバー１５が連動して押されて突出し冷蔵庫本体１２の開口フランジ２２を押すことで、扉７に備えられたガスケット２３は前記開口フランジ２２から軽い力で離脱することができる。また、可動式ハンドル装置７ｂの取手受け部１３を外板１９と別体構造とすることで、従来の外板を一体に絞る場合に比べ、操作スペースを十分に確保することができ、操作性が向上するとともに、可動式ハンドル装置７ｂが外板１９の構成面より前方に飛び出さないので、冷凍室扉７全体のフラット感が高まりデザイン性を向上することができる。また、冷蔵庫本体１２の梱包時の省スペース化を図ることができる。また、取手受け部１３が外板１９と別体構造となることで、取手受け部１３の色彩や形状などの設計自由度が高まり、ユーザーのニーズに応じた冷蔵庫を提供できる。
【００２４】
また、取手受け部１３の曲面状凹み部２４は、ハンドル１４下端の後方に対向する位置から下方で曲面形状とすることで、ハンドル１４の背面スペースを十分確保できることと、取手受け部１３の曲面形状が扉開時の使用者の手の動作に沿ったものとなることで、操作性がさらに向上する。
【００２５】
また、取手受け部１３の下部背面（発泡断熱材側）に溝２１とフランジ部２６を設けており、前記溝２１とフランジ部２６で取手受け部１３の下部を、断面Ｕ字状の挟持部材２５を介して外板１９に固定し、その後、発泡断熱材を充填発泡することにより、取手受け部１３が外板１９に強固に保持され強度が高まるとともに、発泡断熱材充填時の洩れを防ぐことができ、冷凍室扉７の外観品位が高まる。
【００２６】
また、取手受け部１３と外板１９を強固に挟み込んで固定したあと、背面側（発泡断熱材側）から伝熱部材であるアルミテープ２８を少なくとも外板１９に接するところまで貼り付けているので、取手受け部の曲面形状形成のために生じる発泡断熱材の部分的な断熱性低下による扉表面結露の防止を図ることができる。
【００２７】
なお、取手受け部１３の背面に中空構造２９を有するように成形してもよい。この場合、中空構造の空気断熱により、取手受け部の曲面形状形成のために生じる発泡断熱材の部分的な断熱性低下による扉表面結露の防止が、別部材を用いることなく可能となる。
【産業上の利用可能性】
【００２８】
以上のように、本発明にかかる冷蔵庫は、可動ハンドル装置の操作スペースを十分に確保しながら、扉のフラット感を損なわないデザイン性の向上と、操作性を向上することができるので、断熱性を有する扉全般に適用することができる。
【図面の簡単な説明】
【００２９】
【図１】本発明の実施の形態1における冷蔵庫の正面図
【図２】同実施の形態による冷蔵庫の冷凍室扉の分解図
【図３】同実施の形態による冷蔵庫の要部断面図
【図４】同実施の形態による冷蔵庫の要部断面図
【図５】従来の冷蔵庫の要部断面図
【符号の説明】
【００３０】
７    冷凍室扉
７ｂ、８ｂ    可動式ハンドル装置
７ｃ    内板
１２    冷蔵庫本体
１３    取手受け部
１４    ハンドル
１５    レバー
１６    シャフト
１９    外板
２０    キャップ
２１    溝
２４    曲面状凹み部
２５    挟持部材
２６    フランジ部
２７    発泡断熱材
２８    アルミテープ
２９    中空構造
【図１】
2005090813.tif 000003
【図２】
2005090813.tif 000004
【図３】
2005090813.tif 000005
【図４】
2005090813.tif 000006
【図５】
2005090813.tif 000007